【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
画像形成に使用される消耗品としてトナーを収納する消耗品収納室，静電潜像を形成するための感光ドラム，この感光ドラムを帯電させる帯電ローラ，前記感光ドラムにトナーを付着させて前記静電潜像を現像する現像ローラを有しており、画像形成装置に交換可能に装填されるカートリッジを調べて不適正なカートリッジを検出する不適正カートリッジの検出装置において、
前記カートリッジの内部に収納された消耗品の物性値を測定する測定手段と、消耗品の物性値の範囲が記憶された記憶手段と、この記憶手段から物性値の範囲を読み出し、測定された物性値が範囲外であるときには、不適正に消耗品が詰め替えられた不適正カートリッジであると判定する判定手段とからなることを特徴とする不適正カートリッジの検出装置。
【請求項２】
前記不適正カートリッジであると判定されたときに、警告表示する表示手段を設けたことを特徴とする請求項１記載の不適正カートリッジの検出装置。
【請求項３】
前記不適正カートリッジであると判定されたときに、このカートリッジがセットされた画像形成装置の画像形成動作を禁止する禁止手段を設けたことを特徴とする請求項１または２記載の不適正カートリッジの検出装置。
【請求項４】
前記不適正カートリッジの判定は、カートリッジが画像形成装置にセットされたときに行われることを特徴とする請求項１ないし３いずれか記載の不適正カートリッジの検出装置。
【請求項５】
前記物性値は消耗品の濃度であり、前記測定手段は、カートリッジに設けられた発光素子と受光素子を備え、消耗品が付着した現像ローラまたは感光ドラムに発光素子から光を照射し、その反射光を受光素子で検出することによって、消耗品の濃度を測定することを特徴とする請求項１ないし４いずれか記載の不適正カートリッジの検出装置。
【請求項６】
前記記憶手段は、カートリッジに設けられていることを特徴とする請求項１ないし５いずれか記載の不適正カートリッジの検出装置。
【請求項７】
前記範囲は、カートリッジの製造時にカートリッジに収納されている消耗品の物性値を測定して得た測定値を中心とした一定範囲であり、各カートリッジ毎に求めた物性値の範囲を前記記憶手段に書き込むことを特徴とする請求項６記載の不適正カートリッジの検出装置。
【請求項８】
前記記憶手段には、さらに、種類を表すカートリッジタイプ情報が記憶されることを特徴とする請求項１〜７いずれか記載の不適正カートリッジの検出装置。
【請求項９】
画像形成に使用される消耗品としてトナーを収納する消耗品収納室，静電潜像を形成するための感光ドラム，この感光ドラムを帯電させる帯電ローラ，前記感光ドラムにトナーを付着させて前記静電潜像を現像する現像ローラを有しており、画像形成装置に交換可能に装填されるカートリッジを調べて不適正なカートリッジを検出する不適正カートリッジの検出方法において、
前記カートリッジの内部に収納された消耗品の物性値を測定し、測定した物性値が予め定められた範囲から外れているときに、不適正に消耗品が詰め替えられた不適正カートリッジであると判定することを特徴とする不適正カートリッジの検出方法。
【請求項１０】
画像形成に使用される消耗品としてトナーを収納する消耗品収納室と、静電潜像を形成するための感光ドラムと、この感光ドラムを帯電させる帯電ローラと、前記感光ドラムにトナーを付着させて前記静電潜像を現像する現像ローラと、前記消耗品収納室に収納された消耗品の物性値を測定する測定手段と、消耗品の物性値の範囲を記憶する記憶手段とを有するカートリッジと、
記録紙に画像を形成する画像形成部と、前記記憶手段から物性値の範囲を読み出し、測定した物性値が範囲外であるときには、不適正に消耗品が詰め替えられた不適正カートリッジであると判定する判定手段と、不適正カートリッジであると判定されたときに、警告を発し、あるいは画像形成動作を禁止する制御手段とを有する画像形成装置とからなることを特徴とする不適正カートリッジの検出システム。
【請求項１１】
画像形成に使用される消耗品としてトナーを収納する消耗品収納室と、静電潜像を形成するための感光ドラムと、この感光ドラムを帯電させる帯電ローラと、前記感光ドラムにトナーを付着させて前記静電潜像を現像する現像ローラと、前記消耗品収納室に収納された消耗品の物性値を測定する測定手段と、消耗品の機種を特定するためのタイプ情報が割り当てられたカートリッジと、
記録紙に画像を形成する画像形成部と、物性値の範囲をタイプ情報毎に記憶する記憶手段と、セットされたカートリッジのタイプ情報に基づいて物性値の範囲を記憶手段から読み出し、測定手段で測定した物性値が範囲外であるときには、不適正に消耗品が詰め替えられた不適正カートリッジであると判定する判定手段と、不適正カートリッジと判定されたときに、警告を発し、あるいは画像形成動作を禁止する制御手段とを有する画像形成装置とからなることを特徴とする不適正カートリッジの検出システム。
【請求項１２】
前記カートリッジには、静電潜像が形成される感光ドラムと、この感光ドラムを帯電させる帯電ローラと、静電潜像をトナーで現像してトナー像にする現像ローラとが設けられていることを特徴とする請求項１０または１１記載の消耗品詰め替えカートリッジの検出システム。
【請求項１３】
画像形成に使用される消耗品としてトナーを収納する消耗品収納室，静電潜像を形成するための感光ドラム，この感光ドラムを帯電させる帯電ローラと、前記感光ドラムにトナーを付着させて前記静電潜像を現像する現像ローラを有するカートリッジを調べて不適正カートリッジを検出する不適正カートリッジ検出処理をコンピュータに実行させるプログラムを記憶する記憶媒体において、
前記プログラムは、前記カートリッジがセットされたときに消耗品の物性値を測定するステップと、カートリッジ内の記憶手段に記録された物性値の範囲を読み出すステップと、測定した物性値が範囲外であるときは、不適正に消耗品が詰め替えられた不適正カートリッジであると判定するステップとを含むことを特徴とする記憶媒体。
【請求項１４】
画像形成に使用される消耗品としてトナーを収納する消耗品収納室，静電潜像を形成するための感光ドラム，この感光ドラムを帯電させる帯電ローラと、前記感光ドラムにトナーを付着させて前記静電潜像を現像する現像ローラを有するカートリッジを調べて不適正カートリッジを検出する不適正カートリッジ検出処理をコンピュータに実行させるプログラムを記憶する記憶媒体において、
前記プログラムは、カートリッジがセットされたときに消耗品の物性値を測定するステップと、カートリッジのタイプ情報を読み出すステップと、タイプ情報に対応した物性値の範囲を読み出すステップと、測定した物性値が範囲外であるときは、不適正に消耗品が詰め替えられた消耗品詰め替えカートリッジであると判定するステップとを含むことを特徴とする記憶媒体。
【請求項１５】
画像形成に使用される消耗品としてトナーを収納する消耗品収納室，静電潜像を形成するための感光ドラム，この感光ドラムを帯電させる帯電ローラと、前記感光ドラムにトナーを付着させて前記静電潜像を現像する現像ローラを有するカートリッジ本体を備えており、画像形成装置に着脱自在にセットされるカートリッジにおいて、
製造時に収納される前記消耗品の物性値を記憶するための記憶手段を設けたことを特徴とするカートリッジ。
【請求項１６】
前記記憶手段には、前記物性値の範囲が記憶されていることを特徴とする請求項１５記載のカートリッジ。
【請求項１７】
前記物性値は、前記消耗品の濃度であることを特徴とする請求項１５又は１６記載のカートリッジ。
【請求項１８】
前記記憶手段には、さらに、種類を表すカートリッジタイプ情報が記憶されることを特徴とする請求項１５〜１７いずれか記載のカートリッジ。
【請求項１９】
画像形成に使用される消耗品としてトナーを収納する消耗品収納室，静電潜像を形成するための感光ドラム，この感光ドラムを帯電させる帯電ローラと、前記感光ドラムにトナーを付着させて前記静電潜像を現像する現像ローラを有するカートリッジ本体に製造時に収納される前記消耗品の物性値を記憶する記憶手段が設けられたカートリッジが、交換可能にセットされる装置本体と、
前記カートリッジ本体内に収納された前記消耗品の物性値を測定する測定手段と、
前記記憶手段から読み出された前記消耗品の物性値と、前記測定手段による測定値とを比較して、不適正に消耗品が詰め替えられた不適正なカートリッジか否かを判定する判定手段とを備えたことを特徴とする画像形成装置。
【請求項２０】
前記不適正カートリッジであると判定されたときに、警告表示する表示手段を設けたことを特徴とする請求項１９記載の画像形成装置。
【請求項２１】
前記不適正カートリッジであると判定されたときに、このカートリッジがセットされた画像形成装置の画像形成動作を禁止する禁止手段を設けたことを特徴とする請求項１９または２０記載の画像形成装置。
【請求項２２】
前記不適正カートリッジの判定は、カートリッジが画像形成装置にセットされたときに行われることを特徴とする請求項１９ないし２１いずれか記載の画像形成装置。
【請求項２３】
前記記憶手段には、製造時に収納される消耗品の物性値の範囲が記憶されており、前記判定手段は、前記測定値が前記物性値の範囲内に含まれるかどうかを調べて前記不適正カートリッジかどうかを判定することを特徴とする請求項１９ないし２２いずれか記載の画像形成装置。
【請求項２４】
画像形成装置に交換可能にセットされるカートリッジの内部に収納された消耗品の物性値を測定する測定手段と、消耗品の物性値の範囲が記憶された記憶手段と、この記憶手段から物性値の範囲を読み出し、測定された物性値が範囲外であるときには、不適正に消耗品が詰め替えられた不適正カートリッジであると判定する判定手段とからなることを特徴とする不適正カートリッジの検出装置。
【請求項２５】
前記不適正カートリッジであると判定されたときに、警告表示する表示手段を設けたことを特徴とする請求項２４記載の不適正カートリッジの検出装置。
【請求項２６】
前記不適正カートリッジであると判定されたときに、このカートリッジがセットされた画像形成装置の画像形成動作を禁止する禁止手段を設けたことを特徴とする請求項２４または２５記載の不適正カートリッジの検出装置。
【請求項２７】
前記不適正カートリッジの判定は、カートリッジが画像形成装置にセットされたときに行われることを特徴とする請求項２４ないし２６いずれか記載の不適正カートリッジの検出装置。
【請求項２８】
前記記憶手段は、カートリッジに設けられていることを特徴とする請求項２４ないし２７いずれか記載の不適正カートリッジの検出装置。
【請求項２９】
前記範囲は、カートリッジの製造時にカートリッジに収納されている消耗品の物性値を測定して得た測定値を中心とした一定範囲であり、各カートリッジ毎に求めた物性値の範囲を前記記憶手段に書き込むことを特徴とする請求項２８記載の不適正カートリッジの検出装置。
【請求項３０】
前記記憶手段には、さらに、種類を表すカートリッジタイプ情報が記憶されることを特徴とする請求項２４〜２９いずれか記載の不適正カートリッジの検出装置。
【請求項３１】
画像形成装置に交換可能にセットされるカートリッジの内部に収納された消耗品の物性値を測定し、測定した物性値が予め定められた範囲から外れているときに、不適正に消耗品が詰め替えられた不適正カートリッジであると判定することを特徴とする不適正カートリッジの検出方法。
【請求項３２】
画像記録に使用する消耗品を収納した消耗品収納室と、この消耗品収納室に収納された消耗品の物性値を測定する測定手段と、消耗品の物性値の範囲を記憶する記憶手段とを有するカートリッジと、
記録紙に画像を形成する画像形成部と、前記記憶手段から物性値の範囲を読み出し、測定した物性値が範囲外であるときには、不適正に消耗品が詰め替えられた不適正カートリッジであると判定する判定手段と、不適正カートリッジであると判定されたときに、警告を発し、あるいは画像形成動作を禁止する制御手段とを有する画像形成装置とからなることを特徴とする不適正カートリッジの検出システム。
【請求項３３】
画像記録に使用する消耗品を収納した消耗品収納室と、この消耗品収納室に収納された消耗品の物性値を測定する測定手段と、消耗品の機種を特定するためのタイプ情報が割り当てられたカートリッジと、
記録紙に画像を形成する画像形成部と、物性値の範囲をタイプ情報毎に記憶する記憶手段と、セットされたカートリッジのタイプ情報に基づいて物性値の範囲を記憶手段から読み出し、測定手段で測定した物性値が範囲外であるときには、不適正に消耗品が詰め替えられた不適正カートリッジであると判定する判定手段と、不適正カートリッジと判定されたときに、警告を発し、あるいは画像形成動作を禁止する制御手段とを有する画像形成装置とからなることを特徴とする不適正カートリッジの検出システム。
【請求項３４】
カートリッジがセットされたときに消耗品の物性値を測定するステップと、カートリッジ内の記憶手段に記録された物性値の範囲を読み出すステップと、測定した物性値が範囲外であるときは、不適正に消耗品が詰め替えられた不適正カートリッジであると判定するステップとを実行するプログラムを記憶したことを特徴とする記憶媒体。
【請求項３５】
カートリッジがセットされたときに消耗品の物性値を測定するステップと、カートリッジのタイプ情報を読み出すステップと、タイプ情報に対応した物性値の範囲を読み出すステップと、測定した物性値が範囲外であるときは、不適正に消耗品が詰め替えられた消耗品詰め替えカートリッジであると判定するステップとを実行するプログラムを記憶したことを特徴とする記憶媒体。
【請求項３６】
画像形成装置に着脱自在にセットされ、製造時に所定量の消耗品が収納されたカートリッジ本体を有するカートリッジにおいて、
前記消耗品の物性値を記憶するための記憶手段を設けたことを特徴とするカートリッジ。
【請求項３７】
前記記憶手段には、前記物性値の範囲が記憶されていることを特徴とする請求項３６記載のカートリッジ。
【請求項３８】
前記物性値は、前記消耗品の濃度であることを特徴とする請求項３６又は３７記載のカートリッジ。
【請求項３９】
前記記憶手段には、さらに、種類を表すカートリッジタイプ情報が記憶されることを特徴とする請求項３６〜３８いずれか記載のカートリッジ。
【請求項４０】
画像形成に使用する消耗品を収納するカートリッジ本体に、製造時に収納される消耗品の物性値を記憶する記憶手段が設けられたカートリッジが交換可能にセットされる装置本体と、
前記カートリッジ本体内に収納された前記消耗品の物性値を測定する測定手段と、
前記記憶手段から読み出された前記消耗品の物性値と、前記測定手段による測定値とを比較して、不適正に消耗品が詰め替えられた不適正なカートリッジか否かを判定する判定手段とを備えたことを特徴とする画像形成装置。
【請求項４１】
前記不適正カートリッジであると判定されたときに、警告表示する表示手段を設けたことを特徴とする請求項４０記載の画像形成装置。
【請求項４２】
前記不適正カートリッジであると判定されたときに、このカートリッジがセットされた画像形成装置の画像形成動作を禁止する禁止手段を設けたことを特徴とする請求項４０または４１記載の画像形成装置。
【請求項４３】
前記不適正カートリッジの判定は、カートリッジが画像形成装置にセットされたときに行われることを特徴とする請求項４０ないし４２いずれか記載の画像形成装置。
【請求項４４】
前記記憶手段には、製造時に収納される消耗品の物性値の範囲が記憶されており、前記判定手段は、前記測定値が前記物性値の範囲内に含まれるかどうかを調べて前記不適正カートリッジかどうかを判定することを特徴とする請求項４０ないし４３いずれか記載の画像形成装置。